(57)【要約】  小型化が容易で、高利得であり、製造コストも抑制でき、さらに設置方向を容易に固定することができるアンテナ、および、通信装置を提供する。基板（４）と、基板（４）に固定された無線回路と、基板（４）に固定され、無線回路に接続される同軸コネクタ（８）と、を備える無線モジュール（２）に取り付けられるアンテナ（３）であって、基板（５）と、基板（５）の一方の面上に形成された導体（６）と、導体（６）に接続された状態で基板（５）に固定され、同軸コネクタ（８）と着脱自在に結合される同軸コネクタ（９）と、を備え、同軸コネクタ（８）と同軸コネクタ（９）とが結合された状態において、基板（５）が基板（４）と平行に固定される。
2016132397.tif 000002
【特許請求の範囲】
【請求項１】
第１の基板と、前記第１の基板に固定された無線回路と、前記第１の基板に固定され、前記無線回路に接続される第１の同軸コネクタと、を備える無線モジュールに取り付けられるアンテナであって、
第２の基板と、
前記第２の基板の一方の面上に形成された導体と、
前記導体に接続された状態で前記第２の基板に固定され、前記第１の同軸コネクタと着脱自在に結合される第２の同軸コネクタと、
を備え、
前記第１の同軸コネクタと前記第２の同軸コネクタとが結合された状態において、前記第２の基板が前記第１の基板と平行に固定されるアンテナ。
【請求項２】
前記導体は、ループ状に形成される請求項１に記載のアンテナ。
【請求項３】
請求項１に記載のアンテナと、請求項１に記載の無線モジュールとを備える通信装置。
【請求項４】
前記第１の基板と前記第２の基板とを、前記第１の同軸コネクタ、および、前記第２の同軸コネクタとは別途固定する固定部材をさらに備える請求項３に記載の通信装置。
【請求項５】
前記固定部材は、両面テープである請求項４に記載の通信装置。
【請求項６】
前記固定部材は、ネジである請求項４に記載の通信装置。
【請求項７】
前記固定部材は、前記無線モジュールと前記アンテナを収容するケースである請求項４に記載の通信装置。
【発明の詳細な説明】
【技術分野】
【０００１】
本発明は、アンテナ、および、アンテナを備える通信装置に関する。
【背景技術】
【０００２】
従来、基板上に面状のアンテナエレメントを形成し、同軸ケーブルによりアンテナエレメントに給電を行って、アンテナとして機能させるパターンアンテナが広く用いられている。【０００３】
例えば、特許文献１には、アンテナエレメントが表面に形成された基板、同軸ケーブル、同軸ケーブルの端部に装着され、受信回路との結合に用いられるＲＦコネクタの３つの部品で構成されたアンテナが開示されている。【０００４】
このアンテナでは、同軸ケーブルの内部導体と外部導体とがそれぞれアンテナエレメントにはんだ付けされる。そして、アンテナエレメントで受信した信号は、同軸ケーブルを介して受信回路に伝達される。
【先行技術文献】
【特許文献】
【０００５】
【特許文献１】特開平１０−３１３２０７号公報
【発明の概要】
【発明が解決しようとする課題】
【０００６】
しかしながら、上述した特許文献１の従来技術では、同軸ケーブルを介して信号を伝達するため、通信装置を小型化しにくく、低利得となり、製造コストも高くなる。また、屈曲する同軸ケーブルによりアンテナと受信回路とが接続されるため、アンテナの設置方向を固定するには別の部材が必要になる。【０００７】
本発明は、上述した問題を解決するためになされたものであり、小型化が容易で、高利得であり、製造コストも抑制でき、さらに設置方向を容易に固定することができるアンテナ、および、通信装置を提供することを目的とする。
【課題を解決するための手段】
【０００８】
本発明のアンテナは、第１の基板と、第１の基板に固定された無線回路と、第１の基板に固定され、無線回路に接続される第１の同軸コネクタと、を備える無線モジュールに取り付けられるアンテナであって、第２の基板と、第２の基板の一方の面上に形成された導体と、導体に接続された状態で第２の基板に固定され、第１の同軸コネクタと着脱自在に結合される第２の同軸コネクタと、を備え、第１の同軸コネクタと第２の同軸コネクタとが結合された状態において、第２の基板が第１の基板と平行に固定される。【０００９】
また、本発明の通信装置は、上記アンテナと、上記無線モジュールとを備える。
【発明の効果】
【００１０】
本発明によれば、小型化が容易で、高利得であり、製造コストも抑制でき、さらに設置方向を容易に固定することができるアンテナ、および、通信装置を提供することができる。
【図面の簡単な説明】
【００１１】
【図１】本発明の実施形態に係る通信装置の構成の一例を示す図
【図２】通信装置を構成する無線モジュールの構成の一例を示す図
【図３】通信装置を構成するアンテナの構成の一例を示す図
【図４】アンテナが有する同軸コネクタの平面図
【図５】アンテナが有する同軸コネクタの底面図
【図６】アンテナが有する同軸コネクタの側面図
【図７】通信装置の放射パターンを示す図
【発明を実施するための形態】
【００１２】
以下に、本発明の実施形態について、図面を参照して詳細に説明する。
【００１３】
図１は、本発明の実施形態に係る通信装置１の構成の一例を示す図である。図２は、通信装置１を構成する無線モジュール２の構成の一例を示す図である。図３は、通信装置１を構成するアンテナ３の構成の一例を示す図である。
【００１４】
図１に示すように、通信装置１は、無線モジュール２とアンテナ３とを備える。無線モジュール２は、アンテナ３を介して電波を送受信することにより、他の通信装置と無線通信を行うモジュールである。
【００１５】
また、図２に示すように、無線モジュール２は、基板４と、無線回路やマイクロコンピュータ、メモリ、周辺回路などが搭載された電子部品７と、無線モジュール２とアンテナ３との結合に用いられる同軸コネクタ８と、電子部品７に電力を供給するコイン型電池などの電池を収容する電池ホルダ（図示せず）を備える。
【００１６】
同軸コネクタ８は、後述する同軸コネクタ９と接触するピン状の部分を有する内部導体８ａと、同軸コネクタ９と接触する筒状の部分を有する外部導体８ｂとを備えるオスのコネクタである。
【００１７】
さらに、図３に示すように、アンテナ３は、基板５と、基板５の面上に形成された導体６と、同軸コネクタ９と、両面テープ１０とを備える。導体６は、ループ状パターンを形成しており、導体６の２つの端部は向かい合っている。この２つの端部に給電がなされることにより、アンテナ３はループアンテナとして機能する。
【００１８】
また、導体６の２つの端部が配置される領域には、無線モジュール２の同軸コネクタ８と結合するメスの同軸コネクタ９が設けられ、同軸コネクタ９は導体６に接続された状態で基板５に固定される。
【００１９】
図３では、同軸コネクタ９を点線で示し、同軸コネクタ９の詳細な形状の図示を省略している。同軸コネクタ９の形状等については、図４〜図６を用いて後に詳しく説明する。
【００２０】
同軸コネクタ８と同軸コネクタ９とは、着脱自在に結合される。そして、同軸コネクタ８と同軸コネクタ９とが結合されると、無線モジュール２の基板４と、アンテナ３の基板５とが平行に固定される。
【００２１】
このように、同軸コネクタ８と同軸コネクタ９とを着脱自在に結合することにより、使用目的や使用環境に応じて、アンテナ３とは異なる導体パターンを有するアンテナを用いることができ、指向性や利得を調整することができる。例えば、ダイポールアンテナなどの導体パターンを有するアンテナを用いることができる。
【００２２】
また、無線モジュール２にアンテナ３を固定することができるので、電波の放射方向を一定の方向にすることができ、アンテナ３の設置方向を固定するための別の部材が不要になり、通信装置１を小型化できる。
【００２３】
さらに、基板４と基板５との結合には、同軸コネクタ８、９とは別の固定部材である両面テープ１０が用いられる。これにより、基板４と基板５とがより強固に固定される。なお、両面テープ１０は必ずしも用いなくともよく、同軸コネクタ８と同軸コネクタ９との結合のみで、基板４と基板５とを固定してもよい。
【００２４】
あるいは、両面テープ１０の代わりに、ネジにより基板４と基板５とを固定したり、無線モジュール２とアンテナ３とをケースに収容することにより基板４と基板５とを固定したりしてもよい。また、両面テープ１０やネジ、ケース以外の他の固定部材により基板４と基板５とを固定してもよい。
【００２５】
つぎに、アンテナ３が有する同軸コネクタ９の形状等について詳しく説明する。図４は、同軸コネクタ９の平面図であり、図５は、同軸コネクタ９の底面図であり、図６は、同軸コネクタ９の側面図である。なお、図６の一部は、同軸コネクタ９の内部を示すため、断面図となっている。
【００２６】
図４に示すように、同軸コネクタ９には、同軸コネクタ８の内部導体８ａのピン状部分が挿入される孔を有する内部導体９ａ、同軸コネクタ８の外部導体８ｂの筒状部分と接触する外部導体９ｂ、外部導体８ｂの筒状部分がはまり込み、外部導体８ｂと外部導体９ｂとを接触させる溝９ｃを有する。
【００２７】
内部導体９ａは、図５、図６に示すように、同軸コネクタ９の底面にまで延びており、図３に示した同軸コネクタ９の中央において、導体６の端部と接続される。一方、外部導体９ｂも同軸コネクタ９の底面にまで延びており、図３に示した同軸コネクタ９の角部において、導体６の端部と接続される。
【００２８】
このようにして、同軸コネクタ９と導体６とを接続し、無線モジュール２から導体６の端部に給電を行うことにより、アンテナ３をループアンテナとして機能させることができる。
【００２９】
図７は、図１に示した通信装置１を基板４、５の法線方向が水平方向となるように配置した場合の放射パターンを示す図である。図７の実線は、通信装置１の水平放射パターンを示し、図７の点線は、通信装置１の垂直放射パターンを示す。
【００３０】
図７に示すように、この通信装置１の指向性は、広く用いられるダイポールアンテナの指向性と同様のものとなる。このように、この通信装置１では、一般的な特性が得られるため、通信装置１の取扱いが容易となる。
【００３１】
また、この通信装置１では、従来のように、無線モジュールとアンテナとを同軸ケーブルを用いて接続するのではなく、同軸コネクタ８、９により結合するため、通信装置１をより小型化できるとともに、通信装置１の製造コストを低減することができる。
【００３２】
さらに、この通信装置１では、無線モジュール２とアンテナ３との結合に同軸ケーブルを用いないため、同軸ケーブルによるケーブルロスがなくなり、高利得の通信装置１が得られる。
【産業上の利用可能性】
【００３３】
本発明は、アンテナ、および、通信装置に用いるのに好適である。
【符号の説明】
【００３４】
１  通信装置
２  無線モジュール
３  アンテナ
４、５  基板
６  導体
７  電子部品
８、９  同軸コネクタ
８ａ、９ａ  内部導体
８ｂ、９ｂ  外部導体
９ｃ  溝
１０  両面テープ
【図１】
2016132397.tif 000003
【図２】
2016132397.tif 000004
【図３】
2016132397.tif 000005
【図４】
2016132397.tif 000006
【図５】
2016132397.tif 000007
【図６】
2016132397.tif 000008
【図７】
2016132397.tif 000009
【国際調査報告】
2016132397.tif 000010
2016132397.tif 000011